(57)【特許請求の範囲】
【請求項１】
勾配システム（８）、高周波送信システム（１２）および高周波受信システム（１６）を有し、磁気共鳴信号を励起し受信するための測定データ発生ユニット（２）と、像再構成ユニット（３８）を有する測定データ評価ユニット（２６）とを備え、測定データ発生ユニット（２）の高周波受信システム（１６）は、受信した磁気共鳴信号を磁気共鳴‐生データ（１８）として出力し、測定データ発生ユニット（２）が該磁気共鳴‐生データ（１８）を測定データ評価ユニット（２６）に送る磁気共鳴装置の作動方法において、
測定データ発生ユニット（２）が、各々の走査されるｋ空間行に対する制御情報（２４）を発生し、
測定データ発生ユニット（２）から該制御情報（２４）が、走査されるｋ空間行のｋ空間行‐生データ（１８）と同期して、測定データ評価ユニット（２６）に送られ、
測定データ評価ユニット（２６）から測定データ発生ユニット（２）に、この測定データ発生ユニット（２）内に測定データを発生させるフィードバック情報（４０、４２）が送られることを特徴とする磁気共鳴装置の作動方法。
【請求項２】
フィードバック情報（４０、４２）が、ｋ空間行に対するデータ発生のために必要とされる走査の反復時間よりも短い時間にて、測定データ発生ユニット（２）内に測定データを発生させることを特徴とする請求項１記載の方法。
【請求項３】
制御情報（２４）が予め定められた磁気共鳴‐測定シーケンスから発生されることを特徴とする請求項１又は２記載の方法。
【請求項４】
制御情報（２４）が測定データ評価ユニット（２６）内でｋ空間行‐生データ（１８）の処理を制御することを特徴とする請求項１乃至３の１つに記載の方法。
【請求項５】
ｋ空間行‐生データ（１８）が測定データ評価ユニット（２６）に属する像再構成ユニット（３８）に磁気共鳴像データを発生するために供給されることを特徴とする請求項１乃至４の１つに記載の方法。
【請求項６】
像再構成ユニット（３８）がフィードバック情報（４２）を発生することを特徴とする請求項１乃至５の１つに記載の方法。
【請求項７】
測定データ評価ユニット（２６）に属する磁気共鳴‐生データ評価ユニット（３６）がフィードバック情報（４０）を発生することを特徴とする請求項１乃至６の１つに記載の方法。
【請求項８】
測定データ発生ユニット（２）が、予め定められた磁気共鳴‐測定シーケンスから、ｋ空間内の対象物を走査するための勾配コントロール信号（６）、送信システムコントロール信号（１０）および受信システムコントロール信号（１４）と、制御情報（２４）をｋ空間行‐生データ（１８）と同期化するためのコントロール信号（２２）とを発生し、勾配コントロール信号（６）は勾配システム（８）を制御するために用いられ、送信システムコントロール信号（１０）は高周波送信システム（１２）に対して与えられ、受信システムコントロール信号（１４）は高周波受信システム（１６）に対して与えられることを特徴とする請求項１乃至７の１つに記載の方法。
【請求項９】
フィードバック情報（４０、４２）が勾配コントロール信号（６）及び／又は送信システムコントロール信号（１０）及び／又は受信システムコントロール信号（１４）を発生するために使用されることを特徴とする請求項８記載の方法。
【請求項１０】
勾配システム（８）、高周波送信システム（１２）および高周波受信システム（１６）を有し、磁気共鳴信号を励起し受信するための測定データ発生ユニット（２）と、像再構成ユニット（３８）を有する測定データ評価ユニット（２６）とを備え、測定データ発生ユニット（２）の高周波受信システム（１６）は、受信した磁気共鳴信号を磁気共鳴‐生データ（１８）として出力し、測定データ発生ユニット（２）が磁気共鳴‐生データ（１８）を伝送するためのデータチャネル（２８）を介して測定データ評価ユニット（２６）に接続されている磁気共鳴装置において、
測定データ発生ユニット（２）が、各々の走査されるｋ空間行に対する制御情報（２４）を発生し、
該制御情報（２４）が、測定データ発生ユニット（２）からデータチャネル（２８）を介して、走査されるｋ空間行のｋ空間行‐生データ（１８）と同期して、測定データ評価ユニット（２６）に送られ、
測定データ発生ユニット（２）がフィードバックチャネル（４４）を介して測定データ評価ユニット（２６）に接続され、測定データ評価ユニット（２６）から測定データ発生ユニット（２）に、この測定データ発生ユニット（２）内に測定データを発生させるフィードバック情報（４０、４２）が送られることを特徴とする磁気共鳴装置。
【請求項１１】
データチャネル（２８）が測定データ発生ユニット（２）内でマルチプレクサ（２０）に接続され、マルチプレクサ（２０）は、コントロール信号（２２）によって制御されて、ディジタル化された磁気共鳴−生データ（１８）にｋ空間行個別の制御情報（２４）を後段での測定データ評価のために加えることを特徴とする請求項１０記載の磁気共鳴装置。
【請求項１２】
データチャネル（２８）が測定データ評価ユニット（２６）内でデコーダ（３０）を介してデマルチプレクサ（３４）に接続され、デコーダ（３０）内で、デマルチプレクサ（３４）を制御するためのコントロール信号（３２）が発生されることを特徴とする請求項１０又は１１記載の磁気共鳴装置。
【請求項１３】
測定データ評価ユニット（２６）が像再構成ユニット（３８）および磁気共鳴‐生データ評価ユニット（３６）を含み、像再構成ユニット（３８）および磁気共鳴‐生データ評価ユニット（３６）がフィードバックチャネル（４４）に接続されていることを特徴とする請求項１０乃至１２の１つに記載の磁気共鳴装置。
【発明の詳細な説明】
【０００１】
【発明の属する技術分野】
本発明は、測定データ発生ユニットと、測定データ評価ユニットとを備え、測定データ発生ユニットが磁気共鳴‐生データを測定データ評価ユニットに送る磁気共鳴装置の作動方法に関する。
【０００２】
本発明は同じく、測定データ発生ユニットと、測定データ評価ユニットとを備え、測定データ発生ユニットが磁気共鳴‐生データを伝送するためのデータチャネルを介して測定データ評価ユニットに接続されている磁気共鳴装置に関する。
【０００３】
【従来の技術】
核磁気共鳴による像発生のためには磁気共鳴信号がそれらの受信前および受信中に勾配磁界により位置コード化される。位置コード化は、いわゆるｋ空間が信号により占められ、ｋ空間が勾配磁界の時間積分を介して定められていることを意味する。ｋ空間内の信号は次いでフーリエ変換を受け、その結果が像表示装置に供給される。
【０００４】
ｋ空間の走査およびそれにより決定され取得された測定データを用いた像の再構成は、測定の開始前に決定かつ設定される固定的なスキームに従って行われる。
【０００５】
生理的に制御される（例えば心電図、呼吸または脈拍により制御される）測定の際には、ディジタル化された磁気共鳴信号に追加してタイムスタンプが測定データ発生ユニットから測定データ評価ユニットへ伝送される。この情報は生理的信号の選ばれた基準点での磁気共鳴データの発生の時間的基準を示す。生理的信号の多数の周期にわたって取得された磁気共鳴データはこうして測定データ評価ユニット内で生理的信号の等しい時間間隔に対応付けられ得る。このことは主として周期的に動かされる対象物からも磁気共鳴像を取得することを可能にする。このことはレトロ‐ゲーティングとも呼ばれる。
【０００６】
さらに、前もって決定された間隔で、ｋ空間データに追加して、像再構成を制御するために別の磁気共鳴データが発生される方法もある。この方法では本来の像発生のためのｋ空間の走査と平行して、１つまたはそれ以上の別のｋ空間のデータが時間的に多重化して、当面の状態データを用いて、例えば患者の横隔膜の位置を認識し得るように取得される。それから再び呼吸が追跡され、運動アーティファクトが補償される。
【０００７】
【発明が解決しようとする課題】
本発明の課題は、測定データまたは像データ取得に関して改善されている磁気共鳴装置の作動方法を提供することである。さらに本発明の課題はこの方法を実施するのに適した磁気共鳴装置を提供することである。
【０００８】
【課題を解決するための手段】
磁気共鳴装置の作動方法に関する課題は、測定データ発生ユニットから追加的に制御情報が測定データ評価ユニットに送られ、測定データ評価ユニットからフィードバック情報が測定データ発生ユニットに送られ、フィードバック情報が測定データ発生ユニット内の測定データ発生に作用することにより解決される。
それによって測定データ取得中に、測定データを評価する評価側からｋ空間走査に影響力を行使することが可能になる。ｋ空間行の走査の反復時間よりも短いこのフィードバックむだ時間で行われるこのような迅速フィードバックにより、像質を改善するためのフレキシブルな調節ループが構成される。例えばｋ空間行の走査の反復がパラメータの修正のもとに、測定データの例えばＳＮ比のような所望の質指標が達成されるまで予め定められる。他の例としての応用は、腹部撮像の際または機能的な撮像の際のｋ空間走査が、運動アーティファクトが減ぜられるように、制御されることにある。別の応用では測定フィールドが、像を利用して制御されるカテーテルまたは生検針の追跡により、これらの対象物が検査範囲内のそれらの位置変化にもかかわらず常にこの範囲の像表示の中心に写像されているように、ずらされる。
【０００９】
有利な実施態様では、制御情報は予め定められた磁気共鳴‐測定シーケンスから発生される。測定シーケンスは各々の走査されるｋ空間行に個々の制御情報を特定する。これらの追加的な行情報は測定される生データに同期して測定データ評価ユニットに伝送される。
【００１０】
別の有利な実施態様では、制御情報は測定データ評価ユニット内でｋ空間行‐生データの処理を制御する。生データは像再構成ユニット及び／又は特定の測定データ評価ユニットに供給される。
【００１１】
測定シーケンスは測定の進行中にいつでも測定データ評価ユニットからのフィードバック情報に反応し得る。その都度の反応はシーケンス側で予め定められている。有利な実施態様ではフィードバック情報は勾配コントロール信号及び／又は送信システムコントロール信号及び／又は受信システムコントロール信号を発生するために使用される。反応時間は好ましくは、ｋ空間行に対するデータを発生するために必要とされる時間であるｋ空間行の走査の典型的な反復時間よりも短い。
【００１２】
測定データ評価ユニットから測定データ発生ユニットへ至るデータチャネルは、例えば１００ＭＢ／ｓの高い帯域幅の他に特に例えば４〜５ｍｓのオーダーの短くかつ決定性の待ち時間がデータ伝送の際に保証されているように構成されている。
【００１３】
磁気共鳴装置に関する課題は、測定データ発生ユニットがフィードバックチャネルを介して測定データ評価ユニットに接続されていることにより解決される。
【００１４】
他の有利な実施態様は従属請求項に記載されている。
【００１５】
【発明の実施の形態】
以下、本発明の実施例を図面により説明する。
【００１６】
図１は本発明によるフィードバックを実施するために従来の診断用磁気共鳴装置を修正した磁気共鳴装置の機能ユニットを示すブロック回路図である。診断用磁気共鳴装置は磁気共鳴信号の励起および受信のために、またこれらの信号の位置コード化のために必要とされるすべての構成要素を含んだ測定データ発生ユニット２を含んでいる。
【００１７】
測定データ発生ユニット２には、磁気共鳴‐測定シーケンスからその進行中にコントロール信号を発生する測定進行制御ユニット４が設けられている。磁気共鳴‐測定シーケンスは例えば測定データ発生ユニット２内で実時間オペレーションシステム（例えばＶｘＷｏｒｋｓ）の下に進行するＣ＋＋−プログラムとして実現されている。増幅器及び磁石コイルを含んでいる勾配システム８を制御するために、第１のコントロール信号６が発生される。測定進行制御ユニット４はさらに高周波送信システム１２に対する第２のコントロール信号１０を発生する。高周波送信システム１２は高周波電力増幅器およびアンテナを含んでいる。最後に測定進行制御ユニット４から、後続の前置増幅器を有する受信アンテナならびにディジタル化段を含んでいる高周波受信システム１６に対する第３のコントロール信号１４も発生される。それによって受信された磁気共鳴信号は磁気共鳴‐生データ１８として以後の処理のためにディジタル形態で存在している。
【００１８】
磁気共鳴装置の前記した従来の構成要素を有する測定データ発生ユニット２はマルチプレクサ２０を付加されている。マルチプレクサ２０は同じく、測定進行制御ユニット４により磁気共鳴‐測定シーケンスから発生されるコントロール信号２２を受ける。マルチプレクサ２０は、コントロール信号２２により制御されて、ディジタル化された磁気共鳴‐生データ１８にｋ空間行個別の制御情報２４を後段での測定データ評価のために加える。
【００１９】
磁気共鳴‐生データ１８はパケットとして制御情報２４と同期して測定データ評価ユニット２６に伝送される。そのために測定データ発生ユニット２と測定データ評価ユニット２６との間にデータ接続路２８が例えば光導波路の形態で設けられており、それを経て磁気共鳴‐生データ１８が行個別の制御情報２４と一緒に直列のプロトコルによって伝送される。測定データ評価は例えばオペレーションシステムＷｉｎｄｏｗｓ（登録商標）ＮＴの使用のもとにプログラム制御されても行われる。測定データ評価ユニット２６はデコーダ３０を含んでおり、そこからデマルチプレクサ３４を制御するためのコントロール信号３２が発生される。入って来る磁気共鳴‐生データは次いでデマルチプレクサ３４のコントロール信号３２に関係して生データ評価ユニット３６および像再構成ユニット３８またはそれらのいずれかに供給される。生データ評価ユニット３６は第１のフィードバック情報４０を発生し、像再構成ユニット３８は第２のフィードバック情報４２を発生し、これらの両方は、シーケンスの進行に介入するために、フィードバックチャネル４４を介して測定進行制御ユニット４に供給される。フィードバックチャネル４４は例えばＴＣＰ／ＩＰ‐プロトコルを有する標準エターネット接続として構成されている。フィードバックむだ時間への実時間要求を守るために、生データ評価ユニット３６はＷｉｎｄｏｗｓ（登録商標）ＮＴの使用の際に実時間プロセスとして作動する。
【００２０】
例としてフィードバック情報はｋ空間行の走査の反復を生じさせ、その際にパラメータは励起側で、測定データの例えば最小ＳＮ比のような所望の質指標が達成されるまで修正される。他の応用は、腹部撮像の際または機能的な撮像の際のｋ空間走査が、運動アーティファクトが減ぜられるように、制御されることにある。別の制御は、カテーテルまたは生検針が検査範囲内の位置変化にもかかわらず常にこの範囲の像の中心に表示されることによって、フィードバック情報を介して行われる。
【図面の簡単な説明】
【図１】本発明によるフィードバックを実施するために従来の診断用磁気共鳴装置を修正した磁気共鳴装置の機能ユニットを示すブロック回路図。
【符号の説明】
２    測定データ発生ユニット
４    測定進行制御ユニット
６    第１のコントロール信号
８    勾配システム
１０  第２のコントロール信号
１２  高周波送信システム
１４  第３のコントロール信号
１６  高周波受信システム
１８  磁気共鳴‐生データ
２０  マルチプレクサ
２２  マルチプレクサに対するコントロール信号
２４  制御情報
２６  測定データ評価ユニット
２８  光導波路
３０  デコーダ
３２  デマルチプレクサに対するコントロール信号
３４  デマルチプレクサ
３６  磁気共鳴‐生データ評価ユニット
３８  像再構成ユニット
４０  第１のフィードバック情報
４２  第２のフィードバック情報
４４  フィードバックチャネル
【図１】
0004895438.tif 000002